(57)【要約】      （修正有）【課題】燃焼量を把握することができ、燃焼効率の向上を図ることができる燃焼機の清掃スケジュール管理システムを提供する。【解決手段】清掃スケジュール管理システムは、燃焼機において燃焼した可燃廃棄物の量を累計する累計モジュール３と、累計した可燃廃棄物の量と予め設定された燃焼上限値とを比較する比較モジュール４と、燃焼上限値を累計する可燃廃棄物の量が超えた場合、燃焼機を掃除すべき時期の到来を知らせる動作を実行する清掃モジュール５とを備えている。【選択図】図２
0003173568.tif 000002
【実用新案登録請求の範囲】
【請求項１】
可燃廃棄物を燃料として燃焼して熱エネルギーを生成する燃焼機の清掃スケジュール管理システムであって、
前記燃焼機において燃焼した可燃廃棄物の量を累計する累計モジュールと、
累計した前記可燃廃棄物の量と予め設定された燃焼上限値とを比較する比較モジュールと、
前記燃焼上限値を前記累計した可燃廃棄物の量が超えた場合、前記燃焼機の清掃時期の到来を知らせる動作を実行する清掃モジュールと、
を備えていることを特徴とする燃焼機の清掃スケジュール管理システム。
【請求項２】
前記燃焼機の清掃時期の到来を知らせる動作は、前記燃焼機の稼働の停止又は報知信号の生成であることを特徴とする請求項１に記載の燃焼機の清掃スケジュール管理システム。
【請求項３】
前記清掃モジュールによって制御され、且つ前記報知信号を生成する報知器を更に有し、
前記報知信号としては、音、光及び文字における一つとすることを特徴とする請求項１に記載の燃焼機の清掃スケジュール管理システム。
【請求項４】
前記燃焼機へ供給する可燃廃棄物の量を算出する計量モジュールを更に備えていることを特徴とする請求項１に記載の燃焼機の清掃スケジュール管理システム。
【請求項５】
前記比較モジュールは、前記燃焼機の清掃時期の到来を知らせる動作の後に、前記可燃廃棄物の前記累計値をゼロに戻すことを特徴とする請求項１に記載の燃焼機の清掃スケジュール管理システム。
【考案の詳細な説明】
【技術分野】
【０００１】
本考案は、稲、麦等の穀物の生産過程で排出される殻等の可燃廃棄物を燃焼させて熱エネルギーを生成する燃焼機の清掃スケジュール管理システムに関する。
【背景技術】
【０００２】
農産物や穀物の生産過程においては籾殻、藁屑など様々な収穫廃棄物が多量に発生して非常に嵩張るため、堆積・保管場所に困るものであり、従来一般ごみと共に焼却処分したり、集めて燃やしたりして、その処理方法及び有効利用方法に関して幾つかの試みがなされている。例えば、籾殻などの収穫廃棄物を燃料として、燃焼により発生する熱を利用可能にした燃焼機がすでに提案されている（例えば特許文献１、２等参照）。
【先行技術文献】
【特許文献】
【０００３】
【特許文献１】台湾登録実用新案第Ｍ３０４６２８号
【特許文献２】台湾登録実用新案第Ｍ３０４６２９号
【考案の概要】
【考案が解決しようとする課題】
【０００４】
これらの廃棄物により発生した熱は熱エネルギーとして利用することができる。しかし、燃焼の際何千度という高温ガス、そして多くの燃焼灰が生成されるため、それらが燃焼炉内を塞いでガス爆発事故が発生するのを防止するよう燃焼機内のガス、燃焼灰を有効的に導出する手段も設置されており、更に清掃スケジュールを立て定時的に燃焼機の稼動を止めて掃除作業が行われるようになっているが、所要の熱エネルギーによって燃焼量が異なるので、早めに掃除する必要があったり、まだ掃除しなくてもよかったりという場合もあるため、このような定時的な清掃は燃焼効率の劣化、資源の浪費などをきたす問題点がある。
本考案は、上記問題点に鑑みてなされたものであり、燃焼量を把握することができ、燃焼効率の向上を図ることができる燃焼機の清掃スケジュール管理システムを提供することを目的とする。
【課題を解決するための手段】
【０００５】
上記目的を達成するため、本考案は、可燃廃棄物を燃料として燃焼して熱エネルギーを生成する燃焼機の清掃スケジュール管理システムであって、前記燃焼機において燃焼した可燃廃棄物の量を累計する累計モジュールと、累計した前記可燃廃棄物の量と予め設定された燃焼上限値とを比較する比較モジュールと、前記燃焼上限値を前記累計した可燃廃棄物の量が超えた場合、前記燃焼機の清掃時期の到来を知らせる動作を実行する清掃モジュールとを備えていることを特徴とする清掃スケジュール管理システムを提供する。
【考案の効果】
【０００６】
本考案に係る清掃スケジュール管理システムによれば、実際の燃焼量により、燃焼機の所要の掃除タイミングを知ることができ、燃焼機の清掃スケジュールを決めることができるので、燃焼機をクリーンに保つことができ、且つ燃焼効率の向上をも図ることができる。また、燃焼機の所要の掃除タイミングが分かるので、不必要な清掃を省いて燃焼機の稼働を止める回数を減らすことができ、エネルギーの浪費を避けることができる。
【図面の簡単な説明】
【０００７】
【図１】本考案の実施形態にかかる燃焼機の清掃スケジュール管理システムが適用される燃焼機の要部の構成を模式的に示す正面図である。
【図２】本考案の実施形態にかかる燃焼機の清掃スケジュール管理システムの構成を示すブロック図である。
【図３】本考案の実施形態にかかる燃焼機の清掃スケジュール管理システムによる管理方法を示すフローチャートである。
【考案を実施するための形態】
【０００８】
以下、本考案に係る実施形態を、添付の図面を参照しながら説明する。以下に説明する実施形態は本考案の一実施例であり、本考案は以下の実施形態に制限されるものではない。
図１は、本考案の実施形態にかかる燃焼機の清掃スケジュール管理システム１００が適用される燃焼機１の構成を模式的に示す。図１に示すように、燃焼機１は、燃料としての可燃廃棄物を燃焼させる燃焼炉１０と、燃焼炉１０から排出される排気の熱を取り出すための熱交換器１１とを有する。そして、燃焼機１の燃焼炉１０において、燃料として可燃廃棄物を燃焼することによって、熱交換器１１から熱エネルギーを得ることができる。なお、図１に示す燃焼機１の構成は一例であり、燃焼機１の構成はこの構成に限定されるものではない。
図２は、本考案の実施形態にかかる燃焼機の清掃スケジュール管理システム１００の構成を模式的に示すブロック図である。
本考案の実施形態にかかる燃焼機の清掃スケジュール管理システム１００は、計量モジュール２と、累計モジュール３と、比較モジュール４と、清掃モジュール５と、報知器６とを備えている。
計量モジュール２は、所要の熱エネルギー量（＝燃焼機１から取り出す熱エネルギーの量）の計算・燃焼する工程において、燃焼機１に入れて燃焼させる可燃廃棄物の量を算出する。
累計モジュール３は、燃焼機１内において燃焼させた可燃廃棄物の量（燃焼量）を累計して累計値を算出する。一例として、累計モジュール３は、可燃廃棄物の重さ及び供給した時間に基づいて、燃焼機１へ供給した可燃廃棄物の量（燃焼量）を累計して累計値を算出すると共に記録する。
比較モジュール４は、計量モジュール２及び累計モジュール３と電気的に接続されている。そして比較モジュール４は、累計モジュール３により算出された可燃廃棄物の累計値と、予め設定された燃焼上限値とを比較する。燃焼上限値は、燃焼機１を清掃後、燃焼機１を次に清掃するまでに燃焼させることができる可燃廃棄物の量の上限値である。たとえば、燃焼上限値の値が本考案の実施形態にかかる清掃スケジュール管理システム１００に入力されると、比較モジュール４は、入力された値を、燃焼機１の燃焼上限値に設定する。
清掃モジュール５は、比較モジュール４と電気的に接続され、可燃廃棄物の累計値が燃焼上限値を超えた場合には、燃焼機１の清掃すべき時期（以下、清掃時期と記す）が到来したことを知らせる動作を実行する。たとえば、清掃モジュール５は、燃焼機１の稼働を停止する。又は、清掃モジュール５は、報知信号を生成して発するように、報知器６を制御する。
報知器６は、清掃モジュール５によって制御され、燃焼機１の清掃時期が到来したことを知らせる動作において、報知信号を生成して発するように制御される。なお、報知器６は、音、文字、光のいずれかを報知信号として生成して発することができる。
なお、一例として、計量モジュール２と比較モジュール４と清掃モジュール５とはユニット化されたコンピュータが用いられる。
【０００９】
次に、図１〜３を参照して本考案の実施形態にかかる燃焼機の清掃スケジュール管理システム１００による管理方法を説明する。図３は、本考案の実施形態にかかる燃焼機の清掃スケジュール管理システム１００による管理方法を示すフローチャートである。
ステップＳ０１では、燃焼機１を起動する。
ステップＳ０２では、燃焼機１に自動燃焼工程を始動させる。
ステップＳ０３では、計量モジュール２は、所要の熱エネルギー量に応じて、燃焼過程において燃焼炉１０へ供給される可燃廃棄物の必要量を算出する。
ステップＳ０４では、比較モジュール４は、燃焼機１の燃焼上限値を予め設定する。燃焼上限値は、例えば使用者等がキーボード、マウス、或いはタッチパネルを用いて入力した値に設定される。
ステップＳ０５では、累計モジュール３は、燃焼機１における可燃廃棄物の燃焼量を累計して累計値を算出する。
ステップＳ０６では、累計モジュール３は、可燃廃棄物の燃焼履歴を記録する。
ステップＳ０７では、比較モジュール４は、燃焼上限値よりも可燃廃棄物の累計値が大きいか否かを判定する。燃焼機１に供給した可燃廃棄物の累計値が燃焼上限値を超えた場合、ステップＳ０８に進む。一方、可燃廃棄物の累計値が燃焼上限値を超えない場合はステップＳ０３に戻る。
ステップＳ０８では、清掃モジュール５は、可燃廃棄物の量が燃焼上限値より大きくなった場合、燃焼機１の清掃時期が到来したことを知らせる動作を実行する。この動作が実行されると、燃焼機１の稼働を止めるか、報知器６が、音、文字、光のいずれかの報知信号を生成して発する。
ステップＳ０９では、累計モジュール３は、可燃廃棄物の累計値をゼロに戻す。
以上により、実際の燃焼量により、燃焼機１の所要の掃除タイミングを知ることができ、燃焼機１の清掃スケジュールを決めることができるので、燃焼機１をクリーンに保つことができ、且つ燃焼効率の向上をも図ることができる。また、燃焼機１の所要の掃除タイミングが分かるので、不必要な清掃を省くことにより燃焼機１の稼働を止める回数を減らすことができ、エネルギーの浪費を避けることができる。
【産業上の利用可能性】
【００１０】
本考案の燃焼機の清掃スケジュール管理システムは、稲、麦等の穀物の生産過程で排出される殻等の可燃廃棄物を燃焼させて熱エネルギーを生成する燃焼機に有用である。
【符号の説明】
【００１１】
１  燃焼機
２  計量モジュール
３  累計モジュール
４  比較モジュール
５  清掃モジュール
６  報知器
【図１】
0003173568.tif 000003
【図２】
0003173568.tif 000004
【図３】
0003173568.tif 000005